(57)【要約】【課題】ピアノ線等の挿入防止効果を広い領域で発揮でき、しかも、汎用性高く低コストで実現できるパチンコ機の不正防止構造を提供する。【解決手段】外枠１２に取り付けられ、遊技領域４０が形成された遊技盤３２が装着される内枠１４と、内枠１４に軸支され、内枠１４の遊技盤４０の装着領域を開閉自在とする前枠２０とを備えるパチンコ機において、前枠２０の内枠１４への軸支側端部と内枠１４の側端部との隙間８０をその内側から上下方向全範囲に亘って覆うように不正防止シート７０を設け、ピアノ線等の挿入に対して、外レール３６の配置領域よりも充分手前の位置、いわば最前線において障壁となるように機能させた。不正防止シート７０を、可撓性ないし弾性を有し、かつ所定の強度を有する帯状の合成樹脂シートを用いて形成することで汎用性を高め、かつ、ピアノ線等の挿入防止効果を低コストで実現可能とした。【選択図】図２
2008023168.tif 000002
【特許請求の範囲】
【請求項１】
外枠に取り付けられ、遊技領域が形成された遊技盤が装着される内枠と、この内枠の前記遊技盤の装着領域を開閉自在に側端部が軸支された前枠とを備えるパチンコ機において、前記前枠の軸支側端部とこの軸支側端部に隣接する前記内枠の側端部との隙間を、その内側から上下方向全範囲に亘って覆うように、可撓性ないし弾性を有し、かつ所定の強度を有する不正防止シートを設けたことを特徴とするパチンコ機の不正防止構造。
【請求項２】
前記不正防止シートは、上下方向に２分割され、この２分割された上下シートの隣接部分が重ねられた状態で前記前枠及び内枠に跨って固着されたことを特徴とする請求項１に記載のパチンコ機の不正防止構造。
【発明の詳細な説明】
【技術分野】
【０００１】
本発明は、透明フィルムやピアノ線等の針金を用いた不正行為を防止するパチンコ機の不正防止構造に関するものである。
【背景技術】
【０００２】
パチンコ機の前枠（ガラス枠）と内枠との隙間から透明フィルムやピアノ線等の不正行為実行具を挿入して遊技球を入賞口（始動入賞口等の入賞口）に導くようにする等の不正行為を防止する技術として、従来、特許文献１に記載の発明がある。
これは、遊技盤面に備えられる内レールの側面に取り付けられた不正防止部材の、軟質材からなる不正防止片をガラス面に密着させるというものである。
【特許文献１】特開平８−１６４２４８号公報
【発明の開示】
【発明が解決しようとする課題】
【０００３】
しかしながら上記従来技術では、軟質材からなる不正防止片がガラス面と密着して上記隙間からの不正行為実行具の挿入を確実に防止できるという利点があるものの、その不正行為実行具の挿入防止機能は、内レールの、不正防止部材が取り付けられた範囲、つまり最大、内レールの配置されている領域に限って働くというものであった。
一方、最近は遊技領域に設けられる図柄表示装置の大型化に伴って遊技盤も大型化し、したがって前枠も同様に大型化してきている。このため、前枠の軸支間隔（ヒンジ間隔）が長くなって上記隙間も長くなり、不正行為がし易くなってきており、その対処が必要とされていた。
加えて上記従来技術では、不正防止片を内レールの側面に取り付ける関係上、機種対応になって汎用性が低く、またその構成、組付けに掛かるコストも少なくなく、修理も容易ではなく、従来、これらの点についての改善が課題とされていた。
【０００４】
本発明は、上記のような課題に鑑みなされたもので、不正行為実行具の挿入防止機能が内レールの配置領域のみに限られず、より広い領域について働き、しかも低コストで実現でき、修理も簡単に行い得るパチンコ機の不正防止構造を提供することを目的とする。
【課題を解決するための手段】
【０００５】
上記目的を達成するために、特許請求の範囲の請求項１に記載のパチンコ機の不正防止構造は、外枠に取り付けられ、遊技領域が形成された遊技盤が装着される内枠と、この内枠の前記遊技盤の装着領域を開閉自在に側端部が軸支された前枠とを備えるパチンコ機において、前記前枠の軸支側端部とこの軸支側端部に隣接する前記内枠の側端部との隙間を、その内側から上下方向全範囲に亘って覆うように、可撓性ないし弾性を有し、かつ所定の強度を有する不正防止シートを設けたことを特徴とする。
【０００６】
特許請求の範囲の請求項２に記載の発明は、請求項１に記載の発明において、前記不正防止シートは、上下方向に２分割され、この２分割された上下シートの隣接部分が重ねられた状態で前記前枠及び内枠に跨って固着されたことを特徴とする。
【発明の効果】
【０００７】
特許請求の範囲の請求項１に記載の発明では、前枠の軸支側端部と内枠の側端部との隙間（軸支側隙間）を、その内側から上下方向全範囲に亘って覆うように不正防止シートを設けた。つまり、不正行為実行具が軸支側隙間の外側から遊技領域内に進入しようとした場合に、その最前線で、かつ最大限の領域に亘って障壁となるように不正防止シートを機能させるもので、従来技術に比べて有効かつ広範囲に、不正行為実行具の挿入防止効果を発揮できる。
また不正防止シートは、基本的には帯状に形成されるものであり、そして、例えばその幅方向側部を前枠、内枠に固着すればよいので、上記不正防止構造を汎用性高く、かつ低コストで実現でき、更にその修理（貼替え）も容易に行える。
【０００８】
請求項２に記載の発明では、不正防止シートを上下方向に２分割し、その上下シートの隣接部分を重ねた状態で前枠及び内枠に跨って固着した。これによれば、不正防止シートの分割境界部分からの不正行為実行具の進入を確実に防止できると共に、軸支側隙間全長に亘る１枚の不正防止シートを用いる場合に比べ、不正防止シートの定位置への貼着が失敗なく容易に行える。
【発明を実施するための最良の形態】
【０００９】
以下、本発明の実施の形態を図面に基づき説明する。なお、各図間において、同一符号は同一又は相当部分を示す。
図１は、本発明による不正防止構造が適用されたパチンコ機の一実施形態を示す正面図、図２は同上パチンコ機の内枠及び前枠を開いた状態で示す斜視図である。
これらの図において、１２は島と呼ばれるパチンコ機設置場所への取り付けに用いられる外枠２である。
この外枠１２の前面側には、窓部（後述する遊技盤の装着領域）を有するほぼ額縁状の内枠１４が、その図中左側部上下が外枠１２の左側部上下において各々軸支され、その右側を開閉自在に取り付けられている。
また、内枠１４の前面側には、前枠２０が、その図１における左側部（図２においては右側部）上下が内枠１４又は外枠１２、通常は内枠１４の左側部上下にて各々軸支され、その右側（図２においては左側）を開閉自在に取り付けられている。この前枠２０には、透光性を有する板体（透光板）が装着された透光板フレーム、通常、透明ガラス板１６が装着されたガラス板フレーム１８が取り付けられている。
前枠２０と内枠１４とは、内枠１４の右側部ほぼ中央に設けられた施錠装置（シリンダ錠）２２によって施錠可能とされている。
【００１０】
前枠２０の下方には、賞球払出装置（図示せず）から賞球払出口２３を通して払い出された賞球や貸球を貯留して球発射装置（図示せず）へと誘導する球皿部２４を備える皿ユニット２６が、その左側部にて内枠１４に開閉自在に取付けられている。皿ユニット２６の前面下部には、左側に灰皿２８が、右側に発射ハンドル３０が取り付けられている。発射ハンドル３０は、上記球発射装置から遊技球の発射を行わせ、また発射強度を操作するためのハンドルである。
【００１１】
内枠１４の窓部には、この窓部を塞ぐように遊技盤３２が装着される。本実施形態では、遊技盤３２は窓部に着脱自在（交換可能）に装着される。
遊技盤３２は、ベニヤ板３３の表面に合成樹脂からなるシート状のセル３４が貼着されてなり、盤面３２ａには、外レール３６及び内レール３７とレール飾り３８、３９とで囲まれたほぼ円形状の遊技領域４０が形成されている。
【００１２】
遊技領域４０には、図柄表示装置４２や大入賞口４４、始動入賞口４６や一般入賞口４８、風車５０、あるいはサイド飾り５２ａ、５２ｂ等の遊技領域構成部材が設けられている。遊技領域構成部材としては、他に、遊技領域４０の最下位置にアウト口５４が配設されていると共に、多数の遊技釘（図示せず）が打ち込まれている。
遊技盤３２の右側端部に配置されたレール飾り３８の右下隅には、証紙５６を貼り付けた証紙台５８が取り付けられている。
盤面３２ａの少なくとも遊技領域４０は、前枠２０が内枠１４に閉じられた時、前枠２０の正面側（パチンコ機正面側）から透明ガラス板１６を通して透視可能である。なお、図１には、遊技領域構成部材が配設された遊技領域４０や証紙台５８等の図示は省略されている。
【００１３】
パチンコ機正面、具体的には前枠２０の前面には、図１に示すように、賞球表示灯や完了表示灯等の機能を有する複数の表示灯６２、６３が透明ガラス板１６を取り囲むように配設されている。また、この前枠２０前面の左上隅部近傍と右側上部に、遊技の効果音（合成音声を含む。）を出力するスピーカ６４、６６が配置されている。
【００１４】
なお、本実施形態のパチンコ機は、球発射装置を遊技盤３２の左側下方に配置して遊技球を上方に発射する機種である。この球発射装置へは、皿ユニット２６の球皿部２４に貯留された遊技球が一列に整列されて１個ずつ供給される。球発射装置へ供給された遊技球は、遊技者による発射ハンドル３０の時計回り方向の回動操作によって球発射装置から打ち出され、レール３６、３７に案内されて遊技領域４０内に送り込まれる。
遊技領域４０内に送り込まれた遊技球は、その遊技領域４０内において遊技釘、風車５０等の障害物に衝突しながら流下し、その途中において一般入賞口４８、始動入賞口４６あるいは大入賞口４４に入賞し、入賞しなかった遊技球は最終的にアウト口５４から回収される。
【００１５】
遊技球の入賞が、一般入賞口４８や始動入賞口４６か、あるいは大入賞口４４かによって球皿部２４に払い出される賞球数が異なる。例えば、一般入賞口４８や始動入賞口４６に入賞すれば５個、大入賞口４４に入賞すれば１５個というように設定されており、払い出される賞球数は大入賞口４４に入賞する方が多い。
【００１６】
遊技球が始動入賞口４６に入賞すると、図柄表示装置４２は図柄の変動表示を開始する。変動開始後、所定時間が経過して停止したときの図柄（停止図柄）が大当たりであれば、大入賞口４４を開放させる。大入賞口４４は開口幅が広く、また所定の条件を満たせば最高１５回までというように、複数回繰り返されるので、この間に得られる賞球数は大当たりにならなかった場合に比べて著しく多くなる。
大当たりとなる前提条件は遊技球が始動入賞口４６に入賞することであるので、この始動入賞口４６への入賞が不正行為のターゲットとされることが多い。また不正行為は、不正行為実行具を遊技領域４０内に進入させて行うことから、その不正行為実行具の挿入は、内枠１４と前枠２０との隙間から行われる。この隙間は、前枠２０を正面視したとき、つまり図１において、その前枠２０の上下側及び左右側に各々生じるが、このうち上側隙間からの不正行為実行具の挿入作業は難しい上に目立ち、また下側隙間あるいは右側隙間からの挿入作業はその部分のパチンコ機構造上、難しい。したがって、不正行為実行具の挿入は前枠２０の左側（軸支側）の隙間から行われることが多い。
【００１７】
このようなパチンコ機における不正行為防止のための不正防止構造の実施形態を以下に詳細に説明する。
図２中の７０は、透明フィルムやピアノ線等の不正行為実行具の進入を阻止する不正防止シートで本実施形態の主要部をなす。
この不正防止シート７０は、上述した内枠１４と前枠２０との隙間のうちの前枠２０の左側、つまり前枠２０、内枠１４の軸支側端部間の隙間（以下、軸支側隙間と記す。）８０を、その内側から上下方向全範囲に亘って覆うように、固着されている。
すなわち、図２に示すように、不正防止シート７０は、軸支側隙間８０の上下方向ほぼ全長の長さを有する縦長帯状に形成され、その幅方向にて、軸支側隙間８０の内側部分を跨いで、つまり前枠２０裏面の軸支側の端部と内枠１４前面の軸支側の内側面部との間に跨って、位置決め固着されている。
【００１８】
この不正防止シート７０は、不正行為実行具が軸支側隙間８０の外側から遊技領域４０内に進入しようとした場合に、その最前線で障壁となるように機能するもので、同不正防止シート７０は、不正行為実行具の突きや押し等の進入力に対して抗し得る、つまり破断されず、あるいは穿孔されないような強度（所定の強度）を有する材質、厚さからなる。
また、この不正防止シート７０は、前枠２０と内枠１４との間に跨って、つまり相互に回動可能の箇所に跨って取り付けられるので、それらの回動を妨げず、柔軟に協働するように可撓性ないし弾性を有する材質からなる。同時に、その幅方向寸法も、前枠２０、内枠１４の回動を妨げないように、余裕をもった寸法に設定される。特に、前枠２０が内枠１４から全開又はそれに近い状態において、その幅方向中間部分が上下方向全長に亘って前枠２０の開閉端側に僅かに突出し、前枠２０を閉じて行くに従って、同突出部分、つまり幅方向寸法の余裕部分が前枠２０の開閉端側に横断面ループ状に延出、移動して行くような幅方向寸法と可撓性をもつことが望ましい。
ここでは、適宜厚さのポリウレタンシート等の合成樹脂シートが不正防止シート７０として用いられている。上記のような機能、性状を有するシートであれば、そのいずれでもよいことは勿論である。
【００１９】
図２に示す例では、不正防止シート７０裏面の幅方向両端側の上下方向全長に亘って各々両面テープ９０が貼着され、不正防止シート７０は上記両面テープ９０によって前枠２０と内枠１４との間に跨って位置決め固着され、軸支側隙間８０を覆っている。
なお、図２に示す例では、不正防止シート７０は１枚で軸支側隙間８０の上下方向全長を覆っているが、図３に示すように、上下方向に２分割した不正防止シート７０（７０ａ、７０ｂ）で軸支側隙間８０の上下方向全長に亘って覆うようにしてもよい。
この場合、不正防止シート７０ａ、７０ｂの隣接部分が図４に示すように二重になるように、不正防止シート７０ａ及び／又は７０ｂの寸法が設定され、不正防止シート７０ａ、７０ｂの隣接部分を重ねて、前枠２０及び内枠１４に固着されている。このようにすれば、不正防止シート７０ａ、７０ｂの分割境界部分からの不正行為実行具の進入を確実に防止できる。また、軸支側隙間８０全長に亘る１枚の不正防止シート７０を用いる場合に比べ、上下方向に２分割した不正防止シート７０（７０ａ、７０ｂ）を用いれば、不正防止シート７０全体の定位置への貼着が容易、つまり貼着失敗や、それに伴う貼着のし直しが少なくなる。
なお、図３、図４中の切欠き７０ｃは、内枠１４の不正防止シート７０の固着（貼着）対応位置に突設された遊技盤３２の抜止め１４ａを、不正防止シート７０の固着時に逃がすための切欠きである。抜止め１４ａ等の凸部が不正防止シート７０の固着対応位置になければ、図２中の不正防止シート７０のように、上記切欠き７０ｃは不要である。
【００２０】
以上述べた実施形態によれば、不正行為実行具が軸支側隙間８０の外側から遊技領域４０内に進入しようとした場合に、その最前線で、かつ最大限の領域に亘って障壁となるように不正防止シート７０を設けたので、不正行為実行具の挿入防止効果を、従来技術に比べて有効かつ広範囲に発揮できる。
また不正防止シート７０は、ほぼ帯状に形成され、その幅方向側部を前枠２０、内枠１４に両面テープ９０を用いて固着すればよいので、不正防止構造を汎用性高く、かつ低コストで実現でき、更にその貼替え等も容易に行える。
【００２１】
なお、上述実施形態では、不正防止シート７０の前枠２０及び内枠１４への固着を、いずれの側についても両面テープ９０を用いて行っているが、これのみに限定されることはない。例えば、前枠２０の不正防止シート７０を固着する箇所と、別個に用意した帯状の止め板（図示せず）との間に、不正防止シート７０の幅方向左端側部分を挟み込んだ状態で上記止め板を前枠２０にねじ止めして挟圧保持することで、不正防止シート７０の前枠２０への固着を行ってもよい。この場合、不正防止シート７０の上記ねじ止め箇所にねじ貫通孔を穿設しておき、ねじ（図示せず）をねじ貫通孔に貫通させて上記ねじ止めを行えば、不正防止シート７０の位置決め部分からのずれや脱落をより効果的に防止できる。
前枠２０が合成樹脂成形で形成され、強度補強のためにその上下、左右に亘る角枠状の補強用金具、又はその左右側端部に帯状の補強用金具がねじ止めされることがある。このような場合には、そのうちの左側端部（前枠２０裏面側から見たときの右側端部。つまり、前枠２０軸支側の端部）の補強用金具又は帯状の補強用金具を、上記帯状の止め板に兼用させてもよく、これによれば部品点数の削減が図れる。
【００２２】
図５、図６は、２分割した不正防止シート７０（７０ａ、７０ｂ）が用いられ、かつ、前枠２０の帯状の補強用金具９１が上記帯状の止め板として兼用されて、上側の不正防止シート７０ａの前枠２０軸支側の端部がねじ止め固着された場合の不正防止シート固着例を示す斜視図である。
これらのうち、図５は内枠１４に遊技盤３２が取り付けられている通常の状態を示し、図６は内枠１４から遊技盤３２を取り外して不正防止シート７０の固着状態を分かりやすく示した図である。
なお、この例において、下側の不正防止シート７０ｂの前枠２０軸支側の端部については、図１の例と同様に両面テープ９０を用いて上記補強用金具９１の表面に固着（貼着）されている。このように、不正防止シート７０の前枠２０や内枠１４への固着方法には種々の形態がある。いずれにしても、不正行為実行具が軸支側隙間８０の外側から挿入され、操作されることによって、不正防止シート７０が前枠２０や内枠１４から離脱されることがなければ、不正防止シート７０の固着方法はいずれの方法を採ってもよい。
【図面の簡単な説明】
【００２３】
【図１】本発明による不正防止構造が適用されたパチンコ機の一実施形態を示す正面図である。
【図２】同上パチンコ機の内枠及び前枠を開いた状態で示す斜視図である。
【図３】本発明による不正防止構造における２分割形の不正防止シートを、パチンコ機への固着前の状態にて示す正面図である。
【図４】同上２分割形の不正防止シートを１枚の不正防止シートとして重ねた状態（パチンコ機への固着前の状態）にて示す正面図である。
【図５】２分割形の不正防止シートがパチンコ機の内枠と前枠との隙間を覆うように固着された例を示す要部拡大斜視図である。
【図６】図５において内枠から遊技盤を取り外して示す要部拡大斜視図である。
【符号の説明】
【００２４】
１２：外枠、１４：内枠、２０：前枠、３２：遊技盤、４０：遊技領域、７０、７０ａ、７０ｂ：不正防止シート、８０：軸支側隙間、９０：両面テープ。
【図１】
2008023168.tif 000003
【図２】
2008023168.tif 000004
【図３】
2008023168.tif 000005
【図４】
2008023168.tif 000006
【図５】
2008023168.tif 000007
【図６】
2008023168.tif 000008